(57)【特許請求の範囲】
【請求項１】
無線通信システムにおいて、複数の加入者と複数のアンテナに関連づけられた基地局機器との間で情報を同時に送信する方法であって、
前記基地局機器に複数のスケジューラを用意するステップを含み、前記スケジューラの各々は、他のスケジューラとは独立して加入者をスケジューリングすることができ、前記スケジューラの各々は、前記複数のアンテナのうちの１つでの送信をスケジュールするよう構成されており、前記スケジューリングは、前記加入者から送信されたチャネル状態に基づいており、そして、前記チャネル状態が、前記基地局機器により処理され、前記スケジューラによりスケジューリングされることを特徴とする方法。
【請求項２】
前記無線通信システムは高速データレート（ＨＤＲ）通信システムであり、前記スケジューラが、チャネル状態を処理し前記チャネル状態をスケジューラに与える基地局機器とアンテナとに関連づけられ、そして、前記通信システムはパワーを等分に分配することを特徴とする請求項１記載の方法。
【請求項３】
前記チャネル状態の各組は、パイロット信号の測定値に基づいて前記チャネル状態を生成する加入者機器により送信され、そして他のパイロット信号は前記基地局機器により放送されることを特徴とする請求項１記載の方法。
【請求項４】
前記スケジューリングされた加入者は、前記通信システムのダウンリンク全体を介して基地局機器からの情報を受領することを特徴とする請求項１記載の方法。
【請求項５】
前記各スケジューラは、通信サブシステムの一部である基地局機器とアンテナとに関連づけられ、前記通信サブシステムの各々は、前記通信システムへのアクセスを要求する加入者、あるいは通信システムへのアクセスを与えられた加入者を独立にスケジューリングすることを特徴とする請求項１記載の方法。
【請求項６】
前記チャネル状態は、どの基地局機器と関連するスケジューラとがチャネル状態を処理し、加入者をスケジューリングすべきかを示す情報を含むことを特徴とする請求項１記載の方法。
【請求項７】
前記複数のスケジューラを用意するステップは、
スケジューラに関連づけられたアンテナで情報を受信するステップを含み、受信した前記情報は、チャネル状態と前記チャネル状態をどのスケジューラが処理すべきかを特定する情報とを含み、そして、
前記受信した情報を前記特定されたスケジューラに転送するステップを含むことを特徴とする請求項１記載の方法。
【請求項８】
前記スケジューラは、チャネル状態が前記スケジューラに転送される他の加入者の他のデータレート制御（ＤＲＣ）値よりも高いＤＲＣ値を有する加入者をスケジューリングすることを特徴とする請求項１記載の方法。
【請求項９】
前記スケジューラは、チャネル状態が前記スケジューラに転送される他の加入者の他のＤＲＣ／平均レート比率よりも高いＤＲＣ／平均レート比率を有する加入者をスケジューリングすることを特徴とする請求項１記載の方法。
【請求項１０】
前記スケジューラは、どの加入者をスケジューリングするかを決定するアルゴリズムを用いることを特徴とする請求項１記載の方法。
【発明の詳細な説明】
【０００１】
【発明の属する技術分野】
本発明は、無線通信システムに関する。
【０００２】
【従来の技術】
通信システム、特に無線通信システムは、加入者の変動する需要に応えるべく設計されている。サービスプロバイダは、通信システムを所有し操作し適切に維持し、通信システムの動作にコストをかけずにシステムの全体的性能を改善する方法を常に模索している。特に無線通信システムが一般的になるにつれて、サービスプロバイダは、加入者が単位時間当たり大量の情報を搬送する（即ち送受信する）ができる通信システムを提供しなければならない。
【０００３】
単位時間当たり搬送される情報量は、情報レートで表される。システム全体が搬送できる情報の全量はシステム容量と称する。通信システムを介して正しく搬送できる（即ち情報をエラーなしに送受信できる）の情報量は、システムスループットと称する。あるシステム容量の通信システムの加入者は、ある時間に搬送できる情報量が限られている。加入者が情報を搬送する通信チャネルの状態によっては、加入者のスループット即ち容量は一定ではない。そのため加入者がある情報レートかつあるスループットでもって、情報を搬送しようと望むが、チャネル状態が悪いためにそのようにすることが出来ない場合がある。特に通信システムは、高い情報レートを望む加入者を受け入れることが出来ない場合がある。
【０００４】
加入者が、所望の情報レートでもって情報を搬送出来ないという問題を解決するために、加入者は一本のアンテナではなく複数本のアンテナを有する設備／機器（例：携帯電話）を用いることある。加入者の機器が追加アンテナを使用することにより、より高い情報レートでもって情報を搬送出来るようになる。しかし追加のアンテナを用いて加入者機器の容量を増やしても、ある時点ではシステム容量により依然として制約を受ける。例えば複数本のアンテナを有する加入者機器があるレートで情報を搬送しようと望む場合でも、特定の時点ではシステムによりより遅い情報レートに制限されることがある。要するに、システムの容量（加入者機器の容量ではなく）が、加入者が情報を搬送できる情報レートを最終的に支配することになる。
【０００５】
高速データレート（ＨＤＲ）通信システムは、加入者が大部分の時間データ情報を搬送しようとするＣＤＭＡ無線通信システムである。データ情報は、デジタル形式で表される非音声情報（例えば、テキスト又は画像情報）である。他の無線通信システムと同様に、ＨＤＲシステムのサービスプロバイダは、機器のコストをあまり増加させることなく、システム容量とスループットを増加させようと望んでいる。
【０００６】
【発明が解決しようとする課題】
本発明の目的は、システムのサービスプロバイダが機器のコストをあまりあげることなく、ＨＤＲ通信システムの容量とスループットを増加させる方法を提供することである。
【０００７】
【課題を解決するための手段】
本発明により無線通信システム、例えばＨＤＲシステムのスループットと容量をサービスプロバイダが増加させることのできる方法を提供する。複数のスケジューラとそれに関連するアンテナを具備して、ダウンリンク通信チャネルを介して情報を同時に送信する。各アンテナはスケジューラに関連づけられ、このスケジューラが、そのアンテナに関連づけられる基地局機器が受信し処理する加入者からのチャネル状態に基づいて、加入者をスケジューリングする。特に通信システムへアクセス権を要求する加入者、あるいは通信システムへのアクセス権が与えられた加入者からの複数のアンテナが受領したチャネル状態は、アンテナに関連する基地局機器とスケジューラに転送される。その後基地局機器は、受信したチャネル状態を処理して、この処理したチャネル状態をそれぞれのスケジューラに与える。
【０００８】
その後各スケジューラは、サービスプロバイダが設定した条件を満足するチャネル状態の組を有する加入者を、別の加入者とは独立にスケジューリングする。スケジューリングされる加入者は、スケジューラにより実行される様々なアルゴリズムを用いて選択される。スケジューリングされた加入者は、スケジューラが決定したある期間（時間）、アンテナのダウンリンクチャネルの全部のグループにアクセス権が与えられる。本発明の他の実施例においては、スケジューリングされた加入者は、ダウンリンクチャネルの一部のチャネルにアクセス権が与えられる。そのため本発明の方法により、複数のスケジューラが複数の加入者をスケジューリングすることができ、これによりこれら複数の加入者は、ダウンリンク通信チャネルを介して複数の関連するアンテナから情報を同時に受領することができ、これによりＨＤＲシステムの容量又はスループットを増加させることが出来る。
【０００９】
複数のアンテナは、特定の基地局の同一場所に配置する必要はなく、又本発明のスケジューラは、基地局機器の一部、あるいは通信システムのサービスプロバイダにより所有され動作／維持／管理される他のシステム設備の一部でもよい。
【００１０】
【発明の実施の形態】
本発明により無線通信システム、例えばＨＤＲシステムのスループットと容量をサービスプロバイダが増加させることの出来る方法を提供する。複数のスケジューラとそれに関連するアンテナを具備して、ダウンリンク通信チャネルを介して情報を同時に送信する。各アンテナはスケジューラに関連づけられ、このスケジューラが、そのアンテナに関連づけられる基地局機器が受信し処理する加入者からのチャネル状態に基づいて、加入者をスケジューリングする。特に通信システムへアクセス権を要求する加入者、あるいは通信システムへのアクセス権が与えられた加入者からの複数のアンテナが受領したチャネル状態は、アンテナに関連する基地局機器とスケジューラに転送される。その後基地局機器は、受信したチャネル状態を処理して、この処理したチャネル状態をそれぞれのスケジューラに与える。
【００１１】
その後各スケジューラは、サービスプロバイダが設定した条件を満足するチャネル状態の組を有する加入者を、別の加入者とは独立にスケジューリングする。スケジューリングされる加入者は、スケジューラにより実行される様々なアルゴリズムを用いて選択される。スケジューリングされた加入者は、スケジューラが決定したある期間（時間）、アンテナのダウンリンクチャネルの全部のグループにアクセス権が与えられる。本発明の他の実施例においては、スケジューリングされた加入者は、ダウンリンクチャネルの一部のチャネルにアクセス権が与えられる。そのため本発明の方法により、複数のスケジューラが複数の加入者をスケジューリングすることができ、これによりこれら複数の加入者はダウンリンク通信チャネルを介して複数の関連するアンテナから情報を同時に受領することができ、これによりＨＤＲシステムの容量又はスループットを増加させることが出来る。
【００１２】
複数のアンテナは、特定の基地局の同一場所に配置する必要はなく、又本発明のスケジューラは、基地局機器の一部、あるいは通信システムのサービスプロバイダにより所有され動作／維持／管理される他のシステム設備の一部でもよい。本明細書において、用語「加入者」と「加入者機器」は、通信システムを介して情報を搬送する加入者機器を用いる加入者を意味するものとして、互換性を持って以下使用する。
【００１３】
図１に基地局と携帯電話として示された２個の加入者機器１０２、１０４を有するＨＤＲ無線通信システムの一部を示し、このシステムは、１ｘＥＶ-ＤＯとＩＳ-８５６/Ｃ．Ｓ００２４の標準に従って構成されている。加入者機器は、携帯電話に限定されるものではなく、通信システムの加入者が通常使用するあらゆる種類の通信機器（例、ラップトップパソコン、個人デジタルアシスタント（ＰＤＡ））を含む。また本発明の方法は、１ｘＥＶ-ＤＯＨＤＲの通信システムに限定されるものではない。
【００１４】
基地局は、ケーブル１２０を介して電子/電気機器１０６に接続された２個のアンテナ１０８、１１０を有するタワー１２２を具備した基地局機器を有する。ケーブル１２０は、同軸ケーブル、電気ワイヤケーブル、光ファイバケーブル、あるいはそれらの組み合わせのいずれでもよい。本発明の方法は、Ｎ本のアンテナを有するシステム設備に適用可能である。ここでＮは２以上の整数である。Ｎ本のアンテナの内の１本のアンテナが情報を受信すると、この情報はＪ個のスケジューラの内の少なくとも１個のスケジューラに転送される。ここでＪは２以上の整数であるが必ずしもＮに等しい必要はない。基地局と同時に通信できる加入者の数は２人（台）に限定されるものではない。本発明の方法は、基地局機器に関連した複数のアンテナと通信するよう、あるいは複数のスケジューラを有する他のシステム設備と通信するよう、スケジューリングされている複数の加入者に適用可能である。しかし以下の説明においては、図１の基地局とそれに関連する記載は、２本のアンテナと２人の加入者と通信する２個のスケジューラを具備する基地局機器を例に説明する。
【００１５】
図１において、電気/電子機器１０６は、通信信号を生成し処理するのに用いられる一般的な無線機器と信号処理機器とを有する。スケジューラ１０６Ａは、電気／電子機器１０６に関連し、あるいはその一部を構成し、ソフトウェア、ファームウェア、ハードウェアあるいはそれらの組み合わせで実現できる。スケジューラ１０６Ｂは、電気／電子機器１０６に関連し、あるいはその一部を構成し、ソフトウェア、ファームウェア、ハードウェアあるいはそれらの組み合わせで実現できる。スケジューラは、スケジューラに転送されたチャネル状態のチャネルを有する複数の加入者の内の１人をスケジューリングする。スケジューリングとは、加入者がダウンリンクの少なくとも１つのチャネルあるいは全てのチャネルに対し、加入者にアクセス権を与える為に、加入者のチャネル状態に基づいて加入者を選択することである。スケジューラ１０６Ａ、１０６Ｂは、互いに独立に動作するが、上記したような共通の無線信号処理機器を利用する。しかし電気／電子機器１０６は、各加入者が他の無線信号処理機器とは独立に動作できるような個々の無線信号処理機器に関連する、あるいはその一部であるよう区分することが出来る。
【００１６】
アンテナ１０８、１１０は、全てのスケジューラに関連する基地局機器に結合され、いずれかのアンテナが受信した情報は、適切な基地局機器及びスケジューラに転送される。アンテナが受信した情報は、識別情報を含み、この識別情報は、どのスケジューラ及び関連する無線処理機器にそのような情報が適用されるかを示す。受信した情報をスケジューラに転送することは、情報をスケジューラに入力するとも称し、その結果スケジューラは、１つあるいは複数のスケジューリングアルゴリズムを用いて情報をスケジュール化することができる。
【００１７】
加入者機器１０２，１０４は、エアインターフェイスを介して基地局と通信する。エアインターフェイスは、トラフィック信号とシグナリング情報が搬送される通信チャネルを含む。トラフィック信号は、加入者間で搬送される信号及び加入者と基地局機器、あるいは他のシステム設備との間で搬送される信号である。システム設備は、サービスプロバイダが所有し動作し管理する通信システムの一部を構成する機器である。シグナリング情報は、加入者機器と基地局機器との間で搬送される制御情報である。シグナリング情報を用いて通信システムが従う標準（例、１ｘＥＶ-ＤＯ）の特定のプロトコルに従って通信システムを動作させる。
【００１８】
エアインターフェイスを構成する通信チャネルは、アップリンクチャネルとダウンリンクチャネルである。アップリンクチャネル（図示せず）は、加入者機器が基地局あるいは他のシステム設備に情報を送信するチャネルである。加入者機器が、シグナリング情報を基地局あるいは他のシステム設備に送信するのに用いるアップリンクシグナリングチャネル（図示せず）もある。ダウンリンクチャネル１１２，１１４として図１に示したダウンリンクトラフィックチャネルは、基地局（又は他のシステム設備）が情報を加入者機器に送信する通信チャネルである。基地局又は他のシステム装置が、シグナリング情報を加入者機器に送信するのに用いるダウンリンクシグナリングチャネル（図示せず）もある。図１は、トラフィックチャネルを加入者機器１０４にダウンリンクチャネル１１４を介して送信するアンテナ１０８と、トラフィック情報を加入者機器１０２にダウンリンクチャネル１１２を介して送信するアンテナ１１０が示されている。
【００１９】
送信するために、アンテナ１０８と１１０は、ある基地局機器とスケジューラに関連づけられている。加入者に送信する基地局機器とスケジューラは、更にＪ個の重なり合ったセルセクタの内の１つのセクタに関連づけられている。重なり合ったセクタ又はセルの数は、スケジューラの数に等しい。図１において、電気／電子機器１０６とスケジューラ１０６Ａと１０６Ｂがサービスするセルのセクタは、それぞれセルセクタ１１６と１１８である。セルセクタ１１６、１１８は通常３つのセクタに分割されるセルの一部である。セルセクタ１１６，１１８は同一の領域をカバーするが、セクタは異なるスケジューラに関連づけられ、その結果加入者は、同一の領域内にいるが、異なるセクタによりサービスされる。
【００２０】
図１に部分的に示したようなＨＤＲ通信システムにおいては、ダウンリンク通信チャネルの内の全てのチャネルを用いて情報を加入者に送信する。言い換えると、セルセクタ１１６とスケジューラ１０６Ａとそれに関連する基地局機器（アンテナ１１０と共に）は、トラフィック情報（とシグナリング情報）を生成し、加入者機器１０２にダウンリンクチャネル１１２の全てのチャネルを介して送信する。同様に、セルセクタ１１８とスケジューラ１０６Ｂとそれに関連する基地局機器（アンテナ１０８と共に）は、トラフィック情報（とシグナリング情報）を生成し、加入者機器１０４にダウンリンクチャネル１１４の全てのチャネルを介して送信する。
【００２１】
スケジューラ１０６Ａとそれに関連する基地局機器は、アンテナ１１０と共にその指定されたセルとセクタ例えばセルセクタ１１６に、サービスする通信サブシステムの一部を構成する。スケジューラ１０６Ｂとそれに関連する基地局機器は、アンテナ１０８と共にその指定されたセルとセクタ、例えばセルセクタ１１８にサービスする通信サブシステムの一部を構成する。通信サブシステムの数はスケジューラの数に等しい。かくして通信システムは、複数の（すなわちＪ個の）通信サブシステムを含む。かくして複数の加入者は、複数の通信サブシステムに対するアクセス権を得ることが出来る（あるいは、アクセス権が与えられる）。各サブシステムにはスケジューラが関連づけられ、このスケジューラが、通信システムを介して情報を同時に搬送しようとする加入者をスケジューリングし、かくして通信システムの容量又はスループットを増加させる。
【００２２】
図２に本発明の方法のステップのフローチャートを表す。ステップ２００において、特定の基地局機器の一部を構成するスケジューラに関連づけられた複数のアンテナが具備される。アンテナは、基地局機器から送信すべき情報が前記アンテナから送信されるときに特定の基地局機器に関連づけられる。基地局機器は、特定のアンテナとの関連を満たす様々な方法で構成することが出来る。例えば個々の組の基地局機器は、この機器がその関連するアンテナ専用に結合されるよう構成することもできる。かくしてこのような場合、３個のセクタに分割されたセルに対しては、それぞれが専用にその関連するアンテナに結合された３つの基地局機器が存在する。そのため複数のアンテナは、同一のセクタをカバーするか、あるいは重なり合った複数のセクタをカバーする。別の例は複数のアンテナが特定の基地局機器に接続され、その複数のアンテナが同一の機器を共有している場合である。かくしてこのような場合、共有した基地局機器は、仮想的に分離したよう設計され、その結果、情報は結合されたアンテナにより同時に送信される。そのため複数本のアンテナは、同一のセルをカバーするか、重なり合った複数のセルをカバーする。
【００２３】
情報のスケジューリングと送信は、他の結合したアンテナのスケジューリングと送信とは独立して行なわれる。複数のアンテナが、１つの基地局機器を共有していた場合でも、このような基地局機器の動作は、複数の基地局機器が（すなわち分離した仮想的な基地局機器）が、それぞれその関連するアンテナに結合されていたかのように動作する。基地局機器とアンテナの特定の構成は、サービスプロバイダに依存する。
【００２４】
ステップ２０２において、アンテナが受信した情報は、適宜の基地局機器と関連するスケジューラに転送される。加入者は、その送信された情報内にどの基地局機器がその情報を処理してほしいかを特定するような識別情報を有している。加入者は、通信システムへのアクセス権を得る為のリクエスト（要求）を送信することにより、基地局との通信を開始する。あるいは基地局が、加入者機器へのアクセス権を与えるために加入者機器との通信を開始する。例えば発呼者からの加入者機器への来入の呼びにより、基地局は加入者機器へのアクセス権を与える。多くの無線通信システムと同様に、基地局機器には特定の識別符号が割り当てられる。図１において、各通信サブシステムはそれ自身の識別コードを有する。特定の通信サブシステムへのアクセス権を要求する加入者は、その要求中に特定のサブシステムの識別コードを含める。加入者は、どの通信サブシステムが、従ってどのスケジューラにその情報を処理してほしいかを決定するが、これは様々な基地局機器からのダウンリンク信号を解析することにより行なわれる。
【００２５】
アンテナに関連づけられた各基地局機器は、その基地局機器がサービスしているセル内にある加入者機器が受領すべきパイロット信号を周期的に放送する。パイロット信号は、様々な技術を用いて互いに区別することが出来る。ＣＤＭＡシステムにおいては、例えばパイロット信号は互いに擬似的に直交する異なる疑似ノイズ（Ｐｓｅｕｄｏ  Ｎｏｉｓｅ）符号である。パイロット信号の様々な公知の特性（例、振幅、パワーレベル、チャネルゲイン、位相、周波数変換）は、受信した加入者機器が測定する。この測定された特性の組は、チャネル状態として公知のものである。特にダウンリンクチャネルを介して送信された信号（例、パイロット信号）に対する測定された特性は、ダウンリンクチャネル状態として公知のものである。加入者は、基地局に送信するダウンリンク状態の組内にパイロットの識別符号を含む。
【００２６】
ＨＤＲシステムと他の無線ＣＤＭＡシステムにおいては、各加入者機器は、データレート制御（ＤＲＣ）値を生成し、これは特定のパイロット信号に対し加入者機器が測定したチャネルゲインに関係するものである。ＤＲＣ値は、測定したチャネルゲインから計算されるが、これは基地局へ情報を送信するか、あるいは基地局から情報を受信しようとする特定の加入者機器の情報レートである。各加入者機器は、ＤＲＣ値を基地局に送信されたダウンリンクチャネル状態の組の一部として含む。複数のパイロット信号が同時に放送されるセル又はセクタにおいては、加入者機器は、他のパイロット信号も放送されているが、特定のパイロット信号の特性を測定する。この他のパイロット信号は、この特性を測定中の加入者機器にとってはノイズとして解釈される。かくして加入者機器は、上記のように放送されたパイロット信号の特性を測定しパイロット信号の１つを選択し、それ故に選択されたパイロット信号が、発信されたアンテナと関連する基地局機器とを選択する。
【００２７】
一般的に加入者機器は、放送中のパイロット信号のいずれかの内の最高のＤＲＣ値を生成するパイロット信号を選択する。前述したようにパイロット信号に関連するＤＲＣ値は、そのパイロット信号のチャネルゲインに関連している。チャネルゲインとは、信号（パイロット信号）が送信されたパワーレベルに対する信号の測定された受信パワーの比率である。パイロット信号を送信中の基地局機器は、それが利用可能な特定のパワー量を有する。利用可能なパワーを割り当てる１つの方法は、各通信サブシステムの様々な基地局機器とアンテナ間にパワーを均等／等分に分配することである。例えば図１に戻って、Ｐワットの全パワーが基地局で利用可能な場合には、Ｐ／２ワットが各アンテナと関連する基地局機器（例えば通信サブシステム）に割り当てられる。そのため一般的に、Ｎ本のアンテナがありＰワットが利用可能な場合均等に分配するためには、各アンテナとそれに関連する基地局機器にはＰ／Ｎワットが割り当てられる。Ｎは２以上の整数である。基地局機器に割り当てられたパワー量は、直接チャネルゲインに影響を及ぼし、かくして基地局機器のＤＲＣ値（容量）に影響を及ぼす。本発明の方法は、複数のアンテナ間に利用可能なパワーを均等に分布することに限定されるものではない。利用可能なパワーの異なる比率のパワーをアンテナに割り当て、その結果あるアンテナには他のアンテナよりもより多い（又は少ない）パワーが与えられる。
【００２８】
ステップ２０４において、受信した情報は、情報が送信された基地局に関連するスケジューラに与える。スケジューラは、受信した情報を適宜スケジューリングする。スケジューラは、ある種のスケジューリングアルゴリズムを用いて、複数の加入者から受信した複数の情報の内の１つの情報をスケジューリングする。加入者から受信した情報のスケジューリングは、スケジューリングアルゴリズムに従って、その受信した情報を選択し処理し、その結果情報が発信された加入者に所定の期間基地局のダウンリンクチャネルへのアクセス権を与える。各スケジューラは、類似の方法で動作するが互いに異なったように動作する。それ故に複数のスケジューラは複数の加入者をスケジューリングし、その結果各加入者はスケジューラと関連する基地局機器のダウンリンクチャネルへのアクセス権がスケジューリングされた加入者に与えられる。
【００２９】
スケジューラが用いることが出来るアルゴリズムは、スケジューラに与えられた全ての加入者の内最高のＤＲＣ値を有する加入者へダウンリンクチャネルへのアクセス権を与えることである。「Ｐｒｏｐｏｒｔｉｏｎａｌ  Ｆａｉｌ  Ａｌｇｏｒｉｔｈｍ」」と称する別のアルゴリズムでは、スケジューラに与えられた全ての加入者の内最高のＤＲＣ値／平均レート比率を有する加入者にアクセス権を与えるものである。平均レートは所定の期間加入者の分配された情報レートの数学的平均、あるいは他の平均（最新のＤＲＣ値の平均）である。スケジューラは、加入者に対し分配されたＤＲＣ値の記録を保持する。特定のＤＲＣ値をスケジューラに送信することにより、加入者は情報レートを要求する。加入者が、そのレートで情報を伝送することが許された場合にはそのレートが分配されたと称する。要求されたレートが許されない場合には、ＤＲＣ値はゼロに設定される。分配されたＤＲＣ値の平均値は、平均レートを得るためにある所定の期間にわたって計算される。ある特定の時点においては加入者機器は、ＤＲＣ値を有し、このＤＲＣ値の平均値に対する比率をスケジューラが用いて、複数の加入者の内の１人を、そのスケジューラに関連する基地局機器のダウンリンクにアクセス権を与えるよう選択する。
【００３０】
互いに独立して動作する複数のスケジューラは、加入者をスケジューリングするために全て同一のアルゴリズムを使用する必要はない。あるスケジューラは、最高のＤＲＣ値を有する加入者をスケジューリングするが、他のスケジューラは、ＤＲＣ値/平均レート比率に基づいて加入者をスケジューリングしてもよい。本発明の方法は、上記した２つのアルゴリズム以外のスケジューリングアルゴリズムを用いるスケジューラで実行することもできる。他の公知のサービスプロバイダが設計したアルゴリズムを用いて、適切なスケジューリングを提供することも出来る。そのため複数の加入者は、複数のスケジューラによる同時スケジューリングを介して所定の期間にわたって基地局機器と関連するアンテナのダウンリンクチャネルへのアクセス権を獲得するので、ＨＤＲ通信システムの容量とスループットは大幅に向上する。
【００３１】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号がある場合は、発明の容易な理解のためで、その技術的範囲を制限するよう解釈されるべきではない。
【図面の簡単な説明】
【図１】本発明の方法を実行するよう構成されたＨＤＲ無線通信システムの一部を表す図。
【図２】本発明の方法を表すフローチャート図。
【符号の説明】
１０２，１０４  加入者機器
１０８，１１０  アンテナ
１２２  タワー
１２０  ケーブル
１０６  電気／電子機器
１０６Ａ  スケジューラ
１０６Ｂ  スケジューラ
１１２，１１４  ダウンリンクチャネル
１１６，１１８  セルセクタ
２００  アンテナと基地局機器に関連する複数のスケジューラを用意する。
２０２  アンテナが受信したチャネル状態を含む情報をアンテナに関連するスケジューラと基地局に転送する。
２０４  スケジューラは、加入者から送信されたチャネル状態に基づいて加入者を、他のスケジューラとは独立にスケジューリングする。
【図１】
0004002157.tif 000002
【図２】
0004002157.tif 000003